(57)【要約】【課題】光ファイバ心線の接続部を保持する接続部保持部１８と、余長を収納する余長収納部とを備え、前記接続部保持部１８が、底板１４上に前記接続部の収納凹部２６を形成するように立設された仕切り壁２８と、前記収納凹部２６の片側の仕切り壁２８から収納凹部２６内に斜めに伸び出すように形成された弾性片３０とで構成されている光ファイバ心線余長収納トレイにおいて、収納凹部２６に収納された光ファイバ心線接続部の抜け出しを抑制する。【解決手段】弾性片３０の仕切り壁２８ｃの両端からの伸び出し長さを、弾性片３０の自由端の前記接続部と接する部位より上辺側の方が、それより下辺側（底板１４側）の方よりも長くなるようにする。特に弾性片３０の下辺側の方から上辺側の方へ行くに従い徐々に長くなるようにすることが好ましい。【選択図】      図２
2004245908.tif 000002
【特許請求の範囲】
【請求項１】
光ファイバ心線の接続部を保持する接続部保持部と、余長を収納する余長収納部とを備え、前記接続部保持部が、底板上に前記接続部の収納凹部を形成するように立設された仕切り壁と、前記収納凹部の片側の仕切り壁から収納凹部内に斜めに伸び出すように形成された弾性片とで構成されている光ファイバ心線余長収納トレイにおいて、
前記弾性片の仕切り壁からの伸び出し長さが、弾性片の自由端の前記接続部と接する部位より上辺側の方がそれより下辺側の方よりも長くなっていることを特徴とする光ファイバ心線余長収納トレイ。
【請求項２】
請求項１記載の光ファイバ心線余長収納トレイであって、弾性片の仕切り壁からの伸び出し長さが、弾性片の下辺側の方から上辺側の方へ行くに従い徐々に長くなっていることを特徴とする光ファイバ心線余長収納トレイ。
【請求項３】
請求項１記載の光ファイバ心線余長収納トレイであって、弾性片の仕切り壁からの伸び出し長さが、弾性片の上辺側の方が下辺側の方よりも段付きで長くなっていることを特徴とする光ファイバ心線余長収納トレイ。
【発明の詳細な説明】
【０００１】
【発明の属する技術分野】本発明は光ケーブルの接続箱などに使用される光ファイバ心線余長収納トレイに関するものである。
【０００２】
【従来の技術】光ファイバ心線余長収納トレイは、光ファイバ心線の接続部とその余長を収納するもので、光ファイバ心線の接続部を保持する接続部保持部と、光ファイバ心線の余長を収納する余長収納部とを備えている。
【０００３】接続部保持部は、トレイの底板上に光ファイバ心線接続部の収納凹部を形成するように立設された複数の仕切り壁と、前記収納凹部の片側の仕切り壁から収納凹部内に斜めに伸び出すように形成された弾性片とで構成されている。弾性片は収納凹部内に収納された接続部を反対側の仕切り壁に押し付けて安定させる働きをする。
【０００４】また余長収納部は、底板の周辺に突設された周壁と、底板の前記接続部保持部を除いた領域のほぼ中央部に突設された心線ガイド壁との間のスペースで構成される。周壁及び心線ガイド壁の上端縁には余長収納部内に収納された光ファイバ心線がトレイ外に飛び出さないようにする飛び出し防止片が形成されている。
【０００５】
【発明が解決しようとする課題】従来の光ファイバ心線余長収納トレイに設けられた接続部保持部は、収納凹部の片側の仕切り壁に形成された弾性片によって光ファイバ心線接続部を反対側の仕切り壁に押し付けるだけで接続部を保持しているので、トレイに振動や衝撃などが加わったりすると、接続部が収納凹部から上方へ抜け出すおそれがあった。
【０００６】本発明の目的は、上記のような問題点な鑑み、接続部保持部に保持された光ファイバ心線接続部が収納凹部から抜け出すのを抑制できる光ファイバ心線余長収納トレイを提供することにある。
【０００７】
【課題を解決するための手段】この目的を達成するため本発明は、光ファイバ心線の接続部を保持する接続部保持部と、余長を収納する余長収納部とを備え、前記接続部保持部が、底板上に前記接続部の収納凹部を形成するように立設された仕切り壁と、前記収納凹部の片側の仕切り壁から収納凹部内に斜めに伸び出すように形成された弾性片とで構成されている光ファイバ心線余長収納トレイにおいて、前記弾性片の仕切り壁からの伸び出し長さが、弾性片の自由端の前記接続部と接する部位より上辺側の方が、それより下辺側（底板側）の方よりも長くなっていることを特徴とするものである。
このようにすると、収納凹部内に位置する光ファイバ心線接続部の上に、弾性片の自由端側の一部が被さるようになるので、接続部が収納凹部から抜け出し難くなる。
【０００８】本発明の光ファイバ心線余長収納トレイは、前記弾性片の仕切り壁からの伸び出し長さが、弾性片の下辺側の方から上辺側の方へ行くに従い徐々に長くなっているものであることが好ましい。
【０００９】また本発明の光ファイバ心線余長収納トレイは、弾性片の仕切り壁からの伸び出し長さが、弾性片の上辺側の方が下辺側の方よりも段付きで長くなっているものであってもよい。
【００１０】
【発明の実施の形態】以下、本発明の実施の形態を、図面を参照して詳細に説明する。
【００１１】
〔実施形態１〕  図１ないし図３は本発明に係る光ファイバ心線余長収納トレイの一実施形態を示す。図において、１０Ａ、１０Ｂは接続すべき光ファイバ心線、１２は光ファイバ心線１０Ａ、１０Ｂのスプライス接続部（融着接続部又はメカニカルスプライス接続部）、１４はトレイの底板、１６はトレイの周壁、１８は光ファイバ心線１０Ａ、１０Ｂの接続部１２を保持する接続部保持部、２０は光ファイバ心線１０Ａ、１０Ｂの余長を収納する余長収納部である。
【００１２】余長収納部２０は、従来と同様で、底板１４の周辺に突設された周壁１６と、底板１４の前記接続部保持部１０を除いた領域のほぼ中央部に突設された心線ガイド壁２２との間のスペースで構成されている。周壁１６及び心線ガイド壁２２の上端縁には余長収納部２０内に収納された光ファイバ心線１０Ａ、１０Ｂがトレイ外に飛び出さないようにする飛び出し防止片２４が形成されている。
【００１３】一方、接続部保持部１８は、底板１４上に前記接続部１２の収納凹部２６を形成するように周壁１６の直線部と平行に立設された複数の仕切り壁２８と、各仕切り壁２８からその片側（周壁側）の収納凹部２６内に斜めに伸び出すように形成された弾性片３０とで構成されている。仕切り壁２８は長手方向で両端部２８ａ、２８ｂと中間部２８ｃの三つに分断されており、弾性片３０は仕切り壁中間部２８ｃの両端から斜めに伸び出すように形成されている。また仕切り壁両端部２８ａ、２８ｂの外端には接続部１２の長手方向の移動を制限するストッパ３２が突設されている。なお底板１４に形成された穴３４（図２参照）は、弾性片３０を形成するための射出成形用金型の抜き穴である。
【００１４】この接続部保持部１８の特徴は、弾性片３０の仕切り壁中間部２８ｃの両端からの伸び出し長さが、弾性片３０の下辺側（底板側）の方から上辺側の方へ（収納凹部２６の深さの深い所から浅い所へ）行くに従い徐々に長くなっていることである。弾性片３０の解放端をこのような形にしておくと、収納凹部２６に収納された接続部１２を、弾性片３０が弾性反発力で反対側の仕切り壁２８に押し付けるときに、図３（Ｂ）に示すように、接続部１２に弾性反発力Ｐが斜め下向きにかかり、その分力Ｐ１が接続部１２を収納凹部２６内に押し込むように作用する。このためトレイに振動や衝撃などが加わっても、接続部１２が収納凹部２６から抜け出すのを抑制できる。
【００１５】図３（Ｂ）は接続部１２が断面略円形の場合を示したが、接続部１２が断面略四角形の場合も同様である。接続部１２が断面略円形の場合は、弾性片３０の底板１４からの高さを接続部１２の直径とほぼ同じかそれより大きくすればよいが、断面略四角形の場合は、弾性片３０の高さを接続部１２の高さ（両側辺の長さ）より大きくする必要がある。
【００１６】
〔実施形態２〕  図４は本発明の他の実施形態を示す。この光ファイバ心線余長収納トレイは、接続部保持部１８における弾性片３０の伸び出し長さが、弾性片３０の自由端の接続部と接する部位より上の方がそれより下の方（底板側）よりも段付きで長くなっているものである。それ以外の構成は実施形態１と同じであるので、同一部分には同一符号を付してある。弾性片３０はこのような形でも、収納凹部２６に収納された光ファイバ心線接続部の抜け出しを抑制することができる。
【００１７】
【発明の効果】以上説明したように本発明によれば、光ファイバ心線接続部を接続部保持部の収納凹部に押し込むと、接続部が弾性片の弾性反発力により弾性片と反対側の仕切り壁に押し付けられ、接続部の横移動が規制されると共に、弾性片の自由端側の一部が接続部の上に被さるようになるので、接続部が収納凹部から上方へ抜け出すのを抑制できる。したがって光ファイバ心線接続部をより安定に保持することができる。
１０Ａ、１０Ｂ：光ファイバ心線
１２：光ファイバ心線接続部
１４：底板
１６：周壁
１８：接続部保持部
２０：余長収納部
２６：収納凹部
２８：仕切り壁
３０：弾性片
【図１】
2004245908.tif 000003
【図２】
2004245908.tif 000004
【図３】
2004245908.tif 000005
【図４】
2004245908.tif 000006